(57)【要約】【課題】本発明は表面平滑なガラス面、タイル面、冷蔵庫面、塗装金属面、及び一定の凹凸のある壁紙面、すりガラス面、シボ樹脂面等の垂直壁面に、表面が平滑なティッシュペーパー紙箱、金属性箱、紙製カレンダー、及び一定の凹凸のある樹脂成型物、木製箱等を、繰り返し着脱できるマグネットホルダーに関する。【解決手段】一方の面は多極着磁面を、他方の面は非着磁面を有するマグネットシートの非着磁面上に、マグネットシート４Ａ，４Ｂを繰り返し貼り付け・剥離を可能にする可塑剤を含有するミクロ吸盤３Ａ，３Ｂと、離型物２Ａ，２Ｂと、をこの順に具備した２枚のミクロ吸盤付きマグネットシート６Ａ，６Ｂの多極着磁面同士を磁気吸着させた２枚一対型ミクロ吸盤付きマグネットホルダー７（図２Ａ，）【選択図】図２Ａ
2008114008.tif 000002
【特許請求の範囲】
【請求項１】
一方の面は非着磁面を、他方の面は多極着磁面を有するマグネットシートの非着磁面上に、マグネットシートを繰り返し貼り付け・剥離を可能にする可塑剤を含有するミクロ吸盤と、離型物とをこの順に具備した２枚のミクロ吸盤付きマグネットシートを、多極着磁面同士を磁気吸着させて２枚一対にした２枚一対型ミクロ吸盤付きマグネットホルダー。
【請求項２】
請求項１記載の２枚の可塑剤を含有するミクロ吸盤付きマグネットシートの多極着磁面は同じ極間を有し、その多極着磁面同士を磁気吸着させて２枚一対にした２枚一対型ミクロ吸盤付きマグネットホルダー。
【請求項３】
請求項１、請求項２記載の２枚一対型ミクロ吸盤付きマグネットホルダーの内、少なくとも１枚はマグネットシートの非着磁面上に繰り返し貼り付け・剥離が可能な粘着剤層と、離型物をこの順に具備した粘着剤付きマグネットシートからなる２枚一対型ミクロ吸盤付きマグネットホルダー。
【請求項４】
請求項１、請求項２記載の２枚一対型ミクロ吸盤付きマグネットホルダーの、少なくとも１枚は、その非着磁面に、可塑剤を含有する支持体と、繰り返し貼り付け・剥離を可能にする可塑剤を含有するミクロ吸盤と、離型物とをこの順に具備したミクロ吸盤付き支持体マグネットシートからなる２枚一対型ミクロ吸盤付きマグネットホルダー。
【請求項５】
請求項１、請求項２記載の２枚一対型ミクロ吸盤付きマグネットホルダーの内、１枚は非着磁面と、多極着磁面を有するマグネットシート単体からなる２枚一対型ミクロ吸盤付きマグネットホルダー。
【請求項６】
一方の面は多極着磁面を、他方の面も多極着磁面を有するマグネットシートからなる請求項１、請求項２、請求項３、請求項４、請求項５記載の２枚一対型ミクロ吸盤付きマグネットホルダー。
【請求項７】
請求項１、請求項２、請求項３、請求項４、請求項５、請求項６記載のミクロ吸盤は可塑剤を含有しない２枚一対型ミクロ吸盤付きマグネットホルダー。
【発明の詳細な説明】
【技術分野】
【０００１】本発明は台所、洗面所、トイレ、その他室内の一定の凹凸壁紙面、冷蔵庫の壁面、タイルの壁面等の垂直面、あるいは机の天板下、天井等の水平面、に物を吊り下げるに当たって、吊り下げ物を任意に繰り返し固定し、取り外しのできるミクロ吸盤付きマグネットホルダーに関する。吊り下げ物としてはティッシュペーパー紙箱、キッチンペーパー紙箱、台所ラッピングフイルム紙箱、キッチンアルミフォイル紙箱、紙製カレンダー等の如く、表面が平滑なものから、表面に一定の凹凸のある樹脂製箱、金属性箱、木製箱まで、吊り下げ物の対象となる。
【背景技術】
【０００２】吊り下げ物を壁面に固定するホルダーについては多くの特許文献１〜２８が出願され、多くの特許はティッシュペーパー紙箱の壁面固定方法に関するもが多い。しかし、何れの特許文献も、寸法、大きさが特定された箱型、例えばティッシュペーパー紙箱等の大きさが規定された物に関するものである。以下の特許文献には吊り下げ物を壁面に固定する手段として、粘着剤、吸盤、マグネットシートを介在させた固定方法が多く開示されている。特に特許文献に見られる吸盤とは、円状で直径２〜５センチの軟質樹脂からなる吸盤を使用するものであって、被着体が空気の抜ける粗面であったり、曲面であったり、吸盤の直径より小さい被着体であったりすると使えない欠点を持つ。特許文献１４、特許文献２８にはミクロ吸盤を表面平滑なティッシュペーパー紙箱の軽量物品壁面取り付け具として開示されている。しかし、いずれも平滑な壁面に吊り下げる壁面取り付け具としたものであって、平滑でない凹凸壁面には吸着固定しないホルダーである。
一方、マグネットシートの非着磁面に粘着剤を塗布した粘着剤付きマグネットシート６Ｃは現在一般的用途として多く使われている。しかし粘着剤付きマグネットシートを前記の吊り下げ物の固定用に使うと、吊り下げ物１の表面に粘着剤が残って粘着剤が破壊し、粘着力が消失して繰り返し使えない欠点と、吊り下げ物１の表面が紙であると粘着力が強過ぎて粘着剤付きマグネットシートを吊り下げ物から外す際、紙が破れて二度と使えない欠点と、粘着剤面が−旦汚れると汚れを除去できない欠点と、使用環境の温度差が大きいと粘着力が大きく変動して特に夏場は吊り下げ物１に対する保持力が衰え、吊り下げ物１が脱落する等の多くの欠点を持つ。それ故に粘着剤付きマグネットシート６Ｃは吊り下げ物１を繰り返し固定、取り外しするホルダーには必ずしも適していない。
本発明は吊り下げ物１を表面平滑な被着体（壁等）８である冷蔵庫、タイル、ガラス、プラスティック面、天然石面、鉄板塗装面はもちろん、一定の凹凸面のある例えば、ビニール壁紙、すりガラス面、プラスティック面、木目の目立つ木製塗装面、ダンボール紙面、にも繰り返し貼って剥がせるミクロ吸盤をマグネットシート４Ａ，４Ｂの非着磁面１５Ａ，１５Ｂに形成させることで吊り下げ物１を垂直面に固定する２枚一対型ミクロ吸盤付きマグネットホルダー７に関する。
【特許文献１】特開２００５−２８７５９２
【特許文献２】特開２００４−２７２２２０７
【特許文献３】特開２００４−２８３５９８
【特許文献４】特開２００３−１１６７４３
【特許文献５】特開２００２−２６３０３１
【特許文献６】特開２００１−０７８９１９
【特許文献７】特開２０００−１０９０９２
【特許文献８】特開平１１−１３７４７５
【特許文献９】特開平９−２４８２３８
【特許文献１０】特開平７−１０００８０
【特許文献１１】特願２００２−１２８７５１
【特許文献１２】特開平６−２１７８９３
【特許文献１３】特願２００５−９３０７５
【特許文献１４】特願２００５−１４０３１２
【特許文献１５】特許広報平５−８１６１４号
【特許文献１６】登録実用新案第３０８９８７５号
【特許文献１７】登録実用新案第３０５４０８９号
【特許文献１８】登録実用新案第３０４０７５５号
【特許文献１９】登録実用新案第３０３８８８６号
【特許文献２０】登録実用新案第３０３１３１０号
【特許文献２１】登録実用新案第３００２８８０号
【特許文献２２】特開２００５−２８７６２２
【特許文献２３】特開２００４−２１２４３３
【特許文献２４】特開２００４−１４８０１６
【特許文献２５】特開２００４−９７３５４
【特許文献２６】特開２００３−６３５７７
【特許文献２７】特開２００３−５２５７４
【特許文献２８】特開２００３−３２１６５３
【発明の開示】
【発明が解決しようとする課題】
【０００３】マグネットシートをホルダーに応用した特許文献は多く、特許文献２２、２３，２４，２５，２６，２７にその例を見る。しかしこれら文献に開示されたマグネットホルダーは鉄板等の特定の磁性体にのみ固定され使用されるもので、使用範囲に自ずと制限がつく。本考案はミクロ吸盤とマグネットシートを組み合わせることによってマグネットホルダーは冷蔵庫等の磁性体はもちろん、非磁性体の平滑面，例えばタイル面、ステンレス面、ガラス面、及び一定の凹凸面を有する非平滑面、例えば洗面所の壁紙面、トイレ壁紙面、室内の壁紙面、すりガラス面、木目の目立つ木製板面、パルプセメント板等にも固定され使用されるものである。本考案はミクロ吸盤をマグネットシートに組み合わせることによって吊り下げ物を繰り返し着脱、移動、交換が出来るようにした２枚一対型ミクロ吸盤付きマグネットホルダーに関する。
【発明が解決する手段】
【０００４】本考案は可塑剤を含有するミクロ吸盤をマグネットシートの非着磁面、あるいは多極着磁面に形成させて出来るミクロ吸盤付きマグネットシートを２枚重ね合わせてなる２枚一対型ミクロ吸盤付きマグネットホルダー７、及び可塑剤を含有しないミクロ吸盤をマグネットシートの非着磁面、あるいは多極磁面に形成させて出来るミクロ吸盤付きマグネットシートを２枚重ね合わせてなる２枚一対型ミクロ吸盤付きマグネットホルダー７に関する。可塑剤を含有するミクロ吸盤とは、特許文献１３に開示されているが、アクリル酸エステル共重合体エマルジョン液に、整泡剤、増粘剤、起泡剤、硬化剤、顔料に加え、更に可塑剤を一定の割合に混合したエマルション液を、機械的発泡機「オークスミキサー」を通して、加圧空気を送り込んで出来る発泡倍率１．２倍〜５倍（発泡前の単位容積当たりの重量を加圧発泡後の単位容積あたりの重量で除した数値）の泡沫状エマルジョン液をコンマコーターにてマグネットシートの非着磁面、あるいは多極着磁面に塗布、乾燥して形成された５０〜１０００μ厚の、好ましくは１００〜３００μ厚の吸着層をいう。あるいは可塑剤を含有する支持体に泡沫状エマルジョン液を塗布、乾燥してなる５０〜１０００μ厚の吸着層をいう。可塑剤を一定の割合に混合したエマルジョン液とは、アクリル酸エステル共重合体エマルジョン液（水分５０％）に５％から１０％（重量比）混合したもので良い。ミクロ吸盤はいわゆる吸盤に見られる陰圧吸着機能をもち、平滑面によく吸着する。可塑剤を含有するミクロ吸盤は、アクリル酸エステル共重合体泡沫状エマルジョン液を、可塑剤を含有する支持体、例えば軟質塩ビフイルム上に塗布、乾燥しても形成される。なぜなら、支持体に含まれた可塑剤は時間の経過とともにミクロ吸盤に移行して、ミクロ吸盤を可塑化するからである。このようにミクロ吸盤が塗布形成された支持体１６をマグネットシートの非着磁面に粘着剤で貼り合わせると、可塑剤を含有したミクロ吸盤からなるミクロ吸盤付きマグネットシート６Ａ，６Ｂと同じ働きを発現する。
【０００５】可塑剤を含有するミクロ吸盤は柔軟で弾性をもち、その表面に無数の微細凹状陥没穴を有する。ミクロ吸盤はその径より大きな径を持つ内部の気泡に連続し、該内部の気泡は他の気泡と細径管にて連続した構造を有する厚さ５０〜１０００μの吸着性連続発泡層である。ミクロ吸盤面上には微細な凹状陥没穴が形成され、凹状陥没穴の長径は大きいもので３００μに達するが、平均的には１５〜１００μの凹状陥没穴が個数で８０％を占め、単位面積あたり１〜１０万個／ｃｍ２が形成されている。この微細で柔軟な凹状陥没穴が陰圧吸着力を発揮し、通気性のない平滑面であればどんなものでも良く吸着する。更にミクロ吸盤に一定の可塑剤を添加することによりミクロ吸盤の弾性は低弾性化して、例えばミクロ吸盤面を指で押さえて、離すと指の跡がミクロ吸盤面に残って、元に戻らない現象を呈する。この低弾性化が通気性のある被着体面、一定の凹凸を有する非平滑な被着体面にも一定の吸着力を発現させる（特許文献１３）。可塑剤によって軟化したミクロ吸盤は、圧着すると非平滑な被着体の微細な凹凸表面にも良く接面して、減圧状態になり吸着力が発現する。以上のようにマグネットシートの非着磁面上に形成された可塑剤を含有するミクロ吸盤は、平滑面はもちろん、一定の非平滑面被着体に対しても繰り返し貼り付け・剥離を可能にする一方、吸着した面に対して高吸着保持力を有する。
【０００６】本考案は前述した様に平滑面、及び一定の非平滑面にも吸着するミクロ吸盤の陰圧吸着機能と、マグネットシートの磁気吸着機能を両者上手く組み合わせて考案された２枚一対型ミクロ吸盤付きマグネットホルダー７に関する。
本考案は一方の面は非着磁面（非着磁面は、多極着磁面であっても何ら問題はない。よってこれ以降、「非着磁面」の表現は「多極着磁面」に置き換えても何ら問題はない）、他方の面は多極着磁面を有するマグネットシートの非着磁面上に、マグネットシートを繰り返し貼り付け・剥離を可能にするミクロ吸盤と、離型物とをこの順に具備したミクロ吸盤付きマグネットシート６Ａ，６Ｂを、多極着磁面同士を磁気吸着させて２枚一対にした２枚一対型ミクロ吸盤付きマグネットホルダー７に関する。
本考案は前記のミクロ吸盤に可塑剤を含有させることで、ミクロ吸盤の弾性を殺して低弾性化し、一定の凹凸面にもよく吸着する２枚一対型ミクロ吸盤付きマグネットホルダー７（図２Ｂ）に関する。
更に本考案の２枚一対型ミクロ吸盤付きマグネットホルダー７を説明すると、ミクロ吸盤付きマグネットシート６Ａ，６Ｂを２枚一対として使用するマグネットホルダーは図１Ａの如くマグネットシート４Ａ，４Ｂ、の非着磁面１５Ａ（図２Ｃ、図３Ｄ）上に、マグネットシートを繰り返し貼り付け・剥離を可能にするミクロ吸盤３Ａ．３Ｂと、離型物２Ａ．２Ｂとをこの順に具備したミクロ吸盤付きマグネットシート６Ａ，６Ｂを２枚、マグネットシート４ＡのＳ極ラインの上に、とマグネットシート４ＢのＮ極ラインが重なって磁気吸着するように多極着磁面５Ａ，５Ｂ（図２Ａ、図３Ｄ）同士を合体して磁気吸着させた後、任意形状に裁断されてなる２枚一対型ミクロ吸盤付きマグネットホルダー７である。
図３Ｂのミクロ吸盤付きマグネットシー６Ｂと図３Ｃのミクロ吸盤付きマグネットシート６Ｃを合体させるとマグネットシート４Ｂの磁極ラインと図３Ｃのマグネットシート４Ｃの磁極ラインとは直交するか、平行でない角度にて合体され、磁気吸着力は発現しない。本考案は図２Ａ，図２Ｂの如く磁極ラインが平行になるように重ね合わせてはじめて２枚一対型ミクロ吸盤付きホルダー７内に相互の磁気吸着力が発現する。さらに詳しくは図３Ｄの如く多極着磁面５Ａ，５ＢのＳ，Ｎ極ラインのライン間隔（極間）が同一であってはじめて２枚一対型ミクロ吸盤付きホルダー７内に磁気吸着力が発現する。多極着磁面５ＡのＳ極ラインの上に多極着磁面５ＢのＮ極ラインが、５ＡのＮ極ラインの上に多極着磁面５ＢのＳ極ラインが交に連続的に接合してはじめて強力な磁気吸着力が発現するからである。また、ミクロ吸盤付きホルダーを被着体（壁）に取り付けるに当たっては吊り下げ物１の自重の方向に対して、直角の方向にＳ極、Ｎ極ラインが走るように取り付けることが重要となる。自重の方向に対して、平行にＳ極、Ｎ極ラインが走るように取り付けると吊り下げ物１の自重に耐えられず、多極着磁面５Ａ，５Ｂ同士が滑って十分な吸着保持力が発現されず、吊り下げ物１は脱落する場合がある。
【０００７】このマグネットホルダーの使い方を更に詳しく説明する。２枚一対型ミクロ吸盤付きマグネットホルダー７（図２Ａ，図２Ｂ）を構成するミクロ吸盤付きマグネットシート６Ｂの離型物２Ｂを剥がして顔を出したミクロ吸盤３Ｂを、吊り下げ物１の表面にミクロ吸盤３Ｂの吸着力をもって貼り付ける。一方、もう一枚のミクロ吸盤付きマグネットシート６Ａは、同じく離型物２Ａを手剥がし除去して顔を出したミクロ吸盤３Ａを被着体（壁）８に自重の方向に対して、直角の方向にＳ極、Ｎ極ラインが走るように取り付け吸着固定する。次に図４Ａに見る如くマグネットシート４Ａ、４Ｂの多極磁着面同士を合体させると吊り下げ物１は被着体（壁）８に固定される。吊り下げ物１を被着体（壁）８から取り外すには図４Ａの吊り下げ物１を手で掴んで多極磁着面５Ａ，５Ｂからミクロ吸盤付きマグネットシート６Ａ、６Ｂを分離すると吊り下げ物１は容易に矢印の順に着脱が繰り返される。例えば図４Ａにおいて吊り下げ物１のティッシュペーパー紙箱を新しい物に交換したい場合は、まずティッシュペーパー紙箱からミクロ吸盤付きマグネットシート６Ｂを剥がして、新しいティッシュペーパー紙箱にミクロ吸盤付きマグネットホルダー６Ｂのミクロ吸盤３Ｂを押し当て吸着固定させる。次に図４Ａに見る如くミクロ吸盤付きマグネットシート６Ａ，６Ｂの多極磁着面５Ａ，５Ｂ同士を合体させると吊り下げ物１は被着体（壁）８に再び吸着固定される。ミクロ吸盤３Ｂの特徴は紙箱面に繰り返し貼り付け・剥離を繰り返しても、紙箱表面にミクロ吸盤が移行したり、表面の紙破れを引き起こさない点である。台所で使うティッシュペーパーの紙箱、キッチンタオルの紙箱、ラップフイルムの紙箱、アルミホイルの紙箱等の表面はグロス調平滑面でありミクロ吸盤は容易に吸着する。ミクロ吸盤付きマグネットシート６Ａ、６Ｂのミクロ吸盤３Ａ，３Ｂと被着体（壁）８との吸着保持力は、磁気面５Ａ，５Ｂ同士の磁気吸着保持力より高いことが望ましい。被着体（壁）８が鉄のように磁性体である場合でも２枚一対型ミクロ吸盤付きマグネットホルダー７はホルダーとしては十分に使えるのは言うまでもない。ミクロ吸盤付きマグネットシート６Ａ、６Ｂのそれぞれ単体一枚でも吊り下げ物１を磁性体面に吸着固定することが出来る。図４Ｂの如くマグネットシート４Ａの多極着磁面５Ｂが被着体（壁）８の磁性体に吸着し、ミクロ吸盤３Ｂが吊り下げ物１の表面に吸着固定するからである。例えば磁性体である冷蔵庫の壁面にティッシュペーパー紙箱９を固定したい場合は１枚のミクロ吸盤付きマグネットシート６Ｂの多極着磁面５Ｂを冷蔵庫に吸着固定させ、反対面のミクロ吸盤３Ｂを吊り下げ物１に吸着固定させることができる。
【０００８】既に特許文献１４には可塑剤添加のないミクロ吸盤付きマグネットシートを１枚で使用することが出願されているが、これはミクロ吸盤付きマグネットシートの単体使用に関するものであって、被着体は表面平滑な、ガラス板、樹脂版、樹脂フイルム、金属板、大理石面、タイル等に限定されたものである。本考案はミクロ吸盤に可塑剤を含有させることにより表面平滑な被着体（壁）はもちろん、一定の凹凸表面被着体（壁）、に対しても繰り返し貼り付け・剥離ができる２枚一対型ミクロ吸盤付きマグネットホルダーに関する。その使用場所も一定の凹凸表面被着体（壁）にも使用可能となり飛躍的に適用範囲が広まる。例えばすりガラス面、凹凸表面のビニール壁紙面、すりガラス面、プラスティック板のシボ面、塗装された凹凸のある木材面等を被着体（壁）８とすることができる。また図５の如くティッシュペーパー紙箱を吸着固定し、かつ２枚のミクロ吸盤付きマグネットシート６Ａ，６Ｂの多極着磁面５Ａ，５Ｂの間に薄い一枚の画用紙を挟み込むこともできる。また図６の如く釘を打ちたくない壁にカレンダーを吊り下げることも出来るばかりか、例えば造花の細枝を多極着磁面同士の間に差し込み、周りの雰囲気を変えることも出来る。また磁性体の有無を問わず、店舗の壁に吊り下げる紙広告物、樹脂フイルム広告物を繰り返し着脱可能に吊り下げできるホルダーとして、しかも場所移動可能なホルダーとなる。
【０００９】２枚一対型ミクロ吸盤付きマグネットホルダー７について説明したが、これはミクロ吸盤の持つ、低温（−１０℃）から高温（５０℃）に渡る広範囲温度で、安定した吸着保持力を維持する特徴に依存するものである。本考案はミクロ吸盤の変わりに粘着剤を代替使用することもできる。しかし、粘着剤はミクロ吸盤のごとく広範囲温度で、安定した粘着保持力を維持できない欠点を持つ。例えば冬場には使えた２枚一対型粘着剤付きマグネットホルダーは夏場には吊り下げ物１が脱落して使えない。これは粘着剤が高温下で軟化して水飴の様に流動化し、粘着保持力が急落するからである。逆に言えば２枚一対型粘着剤付きマグネットホルダーは狭い温度範囲では使えるマグネットホルダーといえる。そのほか粘着剤の欠点の多くは前述した如く、再剥離の困難性、被着体の破壊・汚染性、等があるが、限定された使用環境下では、２枚一対型粘着剤付きマグネットホルダーは２枚一対型ミクロ吸盤付きマグネットホルダーと同等の機能を発揮する。
【発明の効果】
【００１０】本考案は、可塑剤を含有する２対一対型ミクロ吸盤付きマグネットホルダー７は２枚のミクロ吸盤付きマグネットシート６Ａ，６Ｂからなるが、可塑剤を含有するミクロ吸盤を使用することにより、一方のミクロ吸盤付きマグネットシート６Ｂは吊り下げ物１の表面の平滑面、非平滑面を問わず吊り下げ物１に吸着固定する。しかも繰り返し着脱自在となる。
他方のミクロ吸盤付きマグネットシート６Ａは被着体（壁）８の磁性体、非磁性体を問わず、更に被着体（壁）８の平滑面、非平滑面を問わず被着体（壁）に吸着固定し、しかも繰り返し着脱自在となる。ミクロ吸盤の着脱機能は吊り下げ物１の交換を容易にするばかりか、被着体（壁）８との脱着を容易にして自由に位置を移動させることができる。
またミクロ吸盤付きマグネットホルダーは家庭用ハサミで切断できるので吊り下げ物１の形状、重量、大きさに合わせて自由に切断できる利便性をもつ。また２対一対型ミクロ吸盤付きマグネットホルダーは図５、図６の如く２枚の多極磁着面同士の間に薄い装飾物、メモ用紙を挟むことができる。つまり２種類の吊り下げ物を同時に吸着固定することができる。マグネットシートの磁気吸着（磁束密度）の大小にわせて、吊り下げ物１の軽重を決定することができるが、具体的にはティシュペーパー紙箱、キッチンペーパー紙箱、食品のラッピングフイルム紙箱、カレンダー、ポスター等の固定、着脱が可能となり、吊り下げ物１は被着体（壁）８の平滑面はもちろん、一定の凹凸面のあるすりガラス面、タイル面、壁紙面、木目の目立つ木製塗装壁、ダンボール紙面、プラスティック面、天然石面、鉄板塗装面、冷蔵庫面等にも広く吸着固定して、さらに着脱を繰り返すことが出来る。
【発明を実施するための最良の形態】
【００１１】図１Ｂに示す如く、可塑剤を含有する支持体１６（例えば軟質塩ビフイルム）の一方の面に、繰り返し貼り付け・剥離を行なう可塑剤を含有するミクロ吸盤と、離型物とをこの順に具備したミクロ吸盤付き支持体において、その繰り返し貼り付け・剥離を行なわない支持体１６（軟質塩ビフイルム）の他方の面と、マグネットシート４の非着磁面とを、粘着剤１７を介して貼り合わせてなるミクロ吸盤付きマグネットシートを、その多極着磁面同士を磁気吸着させて２枚合わせて一対にした２枚一対型ミクロ吸盤付きマグネットホルダー７である。支持体には可塑剤を１０〜４０％含む厚さ５０μ〜１００μの軟質塩ビフイルムが良い。可塑剤を含有するミクロ吸盤の厚さは５０μ〜１０００μが望ましく、１００μ〜２００μがもっとも望ましい。発泡倍率は１．５倍〜２．５倍が良い。離型物にはミクロ吸盤との吸着力の弱いＰＥフイルム、ＰＰフイルム、あるいは剥離剤シリコーン樹脂を塗布したポリラミ剥離紙が良い。マグネットシートの非着磁面と支持体１６軟質塩ビフイルムとを接着するにはアクリル粘着剤を使用するのが良い。
【実施例１】
【００１２】以下に可塑剤を添加して製造されたミクロ吸盤からなるミクロ吸盤付きマグネットホルダー７の脱落試験、及び一定の凹凸表面を有する被着体に対する吸着試験結果を示す。
ミクロ吸盤マグネットホルダー（吊り下げ物１）の脱落試験１
条件：ティシュペーパー紙箱（吊り下げ物１：クレシア（株）製ティシュペーパー）は１２０×６０×２４０ｍｍ  重量２８０ｇ
２枚一対型ミクロ吸盤付きマグネットホルダー７の形状は図１Ａの如く長方体５０×１５０×２．５ｍｍで磁極ライン長は１５０ｍｍで長さ方向に走る。
マグネットシート４Ａ，４Ｂ（ニチレイマグネット（株）のマグネカラーシート）は可とう性があり厚さ０．８ｍｍのシート。多極着磁面５Ａ，５Ｂの極間の着磁ピッチは２ｍｍ、  磁気吸管（磁束密度）  ３２０ガウス。
ミクロ吸盤３Ａ，３Ｂは可塑剤ＴＢＸＰ（大八化学工業製品）を２０％（重量比）あるはトリアセチン（大八化学工業製品）７％の含む１２０μ厚の発泡倍率２．０倍のミクロ吸盤、及び比較として可塑剤を含まない発泡倍率２．０倍のミクロ吸盤
離型物２Ａ、２Ｂは剥離紙ＫＹＰ７０Ｅ（リンテック製品）
方法：一方の面は非着磁面を、他方の面は多極着磁面を有するＡ４サイズのマグネットシート４Ａ，４Ｂの非着磁面上に、マグネットシートを繰り返し貼り付け・剥離を可能にする前記可塑剤含有ミクロ吸盤３Ａ，３Ｂと、離型物２Ａ，２Ｂと、をこの順に具備したミクロ吸盤付きマグネットシート６Ａ，６Ｂの多極着磁面同士５Ａ，５Ｂを磁気吸着させて２枚一対にした。これを鋏で５０×１２０ｍｍに切って出来上がった２枚一対型ミクロ吸盤付きマグネットホルダー７（図２Ｂ）を図１Ａの如く多極着磁面からを剥がして、マグネットシート６Ａを被着体（壁）８に、マグネットシート６Ｂをティッシュペーパー紙箱９（吊り下げ物１）に、ミクロ吸盤３Ａ，３Ｂをそれぞれ加圧して吸着固定する。その後多極着磁面５Ａ，５Ｂ同士を磁気吸着させてティッシュペーパー紙箱を（図４Ａ）被着体（壁）８に吸着固定した。ミクロ吸盤付きマグネットホルダー７はその磁極ラインが自重の方向に対して直角に走るように被着体（壁）８に固定して２４日後の脱落なし（○）脱落あり（×）を確認した。
【表１】
2008114008.tif 000003
以上の如く可塑剤含有ミクロ吸盤は表面が平滑な冷蔵庫扉はもちろん、表面に凹凸のあるビニール壁紙面にも良く吸着してティッシュペーパー紙箱の脱落はなく、壁面に２４日間吸着固定した。さらにティッシュペーパー紙箱を取り替えて再度同じ脱落試験を繰り返したがティッシュペーパー紙箱の脱落は無くホルダーとして十分使えるものであった（○印）。しかしながら、可塑剤を含有しないミクロ吸盤は表面に凹凸のあるビニール壁（紙被着体）には吸着固定することが出来なかった（×印）。
【実施例２】
【００１３】ミクロ吸盤マグネットホルダー（吊り下げ物１）の脱落試験２
条件：吊り下げ物１（サランラップ紙箱）は５０×５０×３１００ｍｍの重量１６０ｇ
２枚一対型ミクロ吸盤付きマグネットホルダー７の形状５０×１００×２．５ｍｍで磁極ラインは１５０ｍｍで長さ方向に走る２枚一対型ミクロ吸盤付きマグネットホルダー７の形状は図１Ａの如く長方体５０×１５０×２．５ｍｍで磁極ライン長は１５０ｍｍで長さ方向に走る。
マグネットシート４Ａ，４Ｂ（ニチレイマグネット（株）のマグネカラーシート）は可とう性があり厚さ０．８ｍｍのシート極間の着磁ピッチは２ｍｍ、  磁気吸着（磁束密度）  ３２０ガウス。
離型物２  剥離紙ＫＹＰ７０Ｅ（リンテック製品）
方法：可塑剤（ＤＯＰ）を１８パーツ含有する１００μ厚塩ビフイルム（バンドー化学  ＷＹ０７１８）の一方の面に、繰り返し貼り付け・剥離を可能にする可塑剤を含まないミクロ吸盤と、離型物とをこの順に具備したミクロ吸盤付き支持体１３において、その繰り返し貼り付け・剥離を行なわない他方の面と、マグネットシートの非着磁面１５Ａ，１５Ｂとを、粘着剤を介して貼り合わせてなるミクロ吸盤付き支持体マグネットホルダー１４Ａ，１４Ｂを、多極着磁面同士を磁気吸着させて２枚一対にして、鋏で５０×１２０ｍｍに切った２枚一対型ミクロ吸盤付きマグネットホルダー７を１か月間保管した。ミクロ吸盤は塩ビの可塑剤が移行して１か月前と比較して弾性がなくなりい段と軟化していた。ミクロ吸盤付きマグネットシート６Ａ，６Ｂを図１Ａの如く多極着磁面から分離する。離型物２を手剥がしてマグネットシート６Ａを、塗装された木目の凹凸の出ている垂直木材面に加圧して吸着固定した。一方、マグネットシート６Ｂをサランラップ紙箱に、それぞれミクロ吸盤３Ａ，３Ｂを加圧して吸着固定する。その後多極着磁面５Ａ，５Ｂ同士を磁気吸着させて、木材面被着体にサランラップ紙箱を固定して２４日後のサランラップ紙箱の脱落なし（○）脱落あり（×）を確認した
【表２】
2008114008.tif 000004
2008114008.tif 000005
以上の如く塩ビフイルムに含有される可塑剤（１８％含有）は保管期間１か月の間にミクロ吸盤に移行し、ミクロ吸盤を可塑化して、表面が平滑な冷蔵庫扉はもちろん、表面が凹凸のある木材塗装面にも良く吸着固定して２４日後もサランラップ紙箱の脱落はなかった（前記の○印）。さらにサランラップ紙箱の取り替え試験をしたが、サランラップ紙箱の脱落は無くホルダーとして十分使えた。一方可塑剤を含まないポリエステルフイルムを支持体とした場合は冷蔵庫壁に対しては脱落はなかったが不安定感（△印）が残った。また表面が凹凸のある塗装木材面には吸着固定せず、サランラップ紙箱は脱落した（×印）。
【実施例３】
【００１４】ミクロ吸盤マグネットホルダー（吊り下げ物１）の脱落試験３
条件：吊り下げ物１は５００×７５０ｍｍ（重量２２０ｇ）の１２枚カレンダー
粘着剤付きマグネットシート６Ｃ、ミクロ吸盤付きマグネットシート６Ｂからなる２枚一対型ミクロ吸盤付きマグネットホルダー７で、その形状は５０×１００×２．５ｍｍ。磁極ラインは１００ｍｍで長さ方向に走る。
マグネットシート４Ａ，４Ｂ（ニチレイマグネット（株）のマグネカラーシート）は可とう性があり厚さ０．８ｍｍのシート。極間の着磁ピッチは２ｍｍ、  磁気吸着（磁束密度）３２０ガウス。
ミクロ吸盤３Ｂは可塑剤ＴＢＸＰ（大八化学工業製品）を２０％（重量比）含む２００μ厚の発泡倍率１．８倍のミクロ吸盤。
離型物２は剥離紙  ＫＹＰ７０Ｅ（リンテック製品）
方法：可塑剤を１８パーツ含有する１００μ厚塩ビフイルム（バンドー化学製品ＷＹ０７９１８）の一方の面に、繰り返し貼り付け・剥離を可能にする可塑剤を含むミクロ吸盤３Ｂと、離型物２Ｂとをこの順に具備したミクロ吸盤付き支持体１３の塩ビフイルム面と、マグネットシート４Ｂの非着磁面とを、両面粘着剤（共同技研（株）品Ａ２００）で貼り合わせてなるミクロ吸盤付きマグネットシート６Ｂの離型物２Ｂを剥がしてミクロ吸盤面を１２枚カレンダーの上端部に図６の如く吸着固定した。一方、粘着剤付きマグネットホルダー６Ｃの粘着剤（東洋インキ製品、ダブルフェース）面をビニール壁紙に貼り付けた後、多極着磁面同士５Ｂ，５Ｃはマグネットシート４ＢのＳ極ライン、とマグネットシート４ＣのＮ極ラインが平行に重なるように多極着磁面５Ｂ，５Ｃ同士（図２Ｂ）を合体させた。１２枚カレンダーは図６の様にビニール壁紙面には粘着剤付きマグネットホルダー６Ｃの粘着剤１７（東洋インキ（株）商品名ダブルフェース）にてしっかりと固定され、脱落することも無かった。１２枚カレンダーの月めくりに際しては、ビニール壁紙面から一旦１２枚カレンダーを着磁面から外して、カレンダー月めくり分一枚を破って月めくり後、再度、マグネットシート４Ｂ（ビニール壁紙上にある），４Ｃのそれぞれの多極着磁面同士５Ｂ，５Ｃを合体させた。１１枚カレンダーは再びビニール壁紙面にしっかりと吸着固定され、脱落することは無かった。
【実施例４】
【００１５】実施例１において可塑剤を３有しないミクロ吸盤からなるミクロ吸盤付きマグネットホルダーの脱落試験４、
条件：ティッシュペーパー紙箱（吊り下げ物１）は１２０×６０×２４０ｍｍ重量２８０ｇ
２枚一対型ミクロ吸盤付きマグネットホルダー７の形状は図１Ａの如く長方体５０×１５０×２．５ｍｍ。磁極ラインは１００ｍｍで長さ方向に走る。
マグネットシート４Ａ，４Ｂ（ニチレイマグネット（株）のマグネカラーシート）は可とう性があり厚さ０．８ｍｍのシート。極間の着磁ピッチは２ｍｍ、磁気吸着（磁束密度）３２０ガウス。
離型物２は剥離紙ＫＹＰ７０Ｅ（リンテック製品）
マグネットシート４ＡのＳ極ラインの上に、とマグネットシート４ＢのＮ極ラインが重なるように多極着磁面５Ａ，５Ｂ同士（図１Ａ、図３Ｄ）を合体させた２枚一対型ミクロ吸盤付きマグネットホルダー７（図２Ｂ）を図１Ａの如く多極着磁面からマグネットシート６Ａ，６Ｂを分離して、マグネットシート６Ａを冷蔵庫の壁に、マグネットシート６Ｂをティッシュ紙箱に、それぞれミクロ吸盤３Ａ，３Ｂを加圧して吸着固定する。その後多極着磁面５Ａ，５Ｂ同士を磁気吸着させてティッシュペーパー紙箱９（図４Ａ）を被着体（壁）８に吸着固定して２４日後の脱落なしを確認した。さらにティッシュペーパー紙箱を取り替えて再度同じ脱落試験を繰り返したが可塑剤を含まないミクロ吸盤の吸着力は弱くティッシュペーパー紙箱の脱落の不安があった。
【図面の簡単な説明】
【００１６】
【図１Ａ】ミクロ吸盤付きマグネットシート６Ａ，ミクロ吸盤付きマグネットシート６Ｂの他郷着磁面５Ａ，５Ｂ同士を合体させる前の鳥瞰図。
【図１Ｂ】ミクロ吸盤付き支持体１３からなる，ミクロ吸盤付き支持体マグネットシート１４Ａ，１４Ｂの多極着磁面同士を合体させる前の鳥瞰図。
【図２Ａ】２枚一対型ミクロ吸盤付きマグネットホルダー７のマグネットシート４ＡのＮ，Ｓ極ライン、とマグネットシート４ＢのＮ、Ｓ極ラインを示した鳥瞰図。
【図２Ｂ】２対一体型ミクロ吸盤付きマグネットホルダー７の鳥瞰図。ミクロ吸盤付きマグネットシート６Ａ，ミクロ吸盤付きマグネットシート６Ｂの多極着磁面５Ａ，５Ｂ同士を合体させた鳥瞰図
【図２Ｃ】マグネットシート４Ａの多極着磁面５Ａと非着磁面１５Ａ、及びマグネットシート４ＡのＮ，Ｓ極ラインの走行状態を示した鳥瞰図を示す鳥瞰図。
【図３Ａ】ミクロ吸盤付きマグネットシート６Ａの多極着磁面の磁極走行を示す鳥瞰図。
【図３Ｂ】ミクロ吸盤付きマグネットシート６Ｂの多極着磁面の磁極走行を示す鳥瞰図。
【図３Ｃ】粘着剤付きマグネットシート６Ｃの多極着磁面の磁極走行が９０度回転した状態をしめす鳥瞰図。
【図３Ｄ】マグネットシート４Ａ，４Ｂの多極着磁面５Ａ，５Ｂを合体する断面図。
【図４Ａ】２対一体型ミクロ吸盤付きマグネットホルダー７を使って被着体８に吊り下げもの１を固定吸着する過程を矢印で示した断面図。
【図４Ｂ】ミクロ吸盤付きマグネットシート６Ｂの剥離物２Ｂをはがして吊り下げ物１を磁性体からなる被着体（壁）８に吸着固定する過程を示した断面図。
【図５】２対一体型ミクロ吸盤付きマグネットホルダー７を使ってティッシュペーパー紙箱９と装飾物１０を被着体（壁）８に吸着固定した鳥瞰図。
【図６】１枚は粘着剤付きマグネットシート６Ｃからなる２対一体型ミクロ吸盤付きマグネットホルダー７を使ってカレンダー１１と造花１２を壁に吸着固定した鳥瞰図。
【符号の説明】
【００１６】１．吊り下げ物
２．離型物２Ａ、２Ｂ、２Ｃ
３．ミクロ吸盤３Ａ、３Ｂ、３Ｃ
４．マグネットシート４Ａ．４Ｂ、４Ｃ
５．多極着磁面５Ａ．５Ｂ、５Ｃ
６Ａ．被着体（壁）に吸着するミクロ吸盤付きマグネットシート
６Ｂ．吊り下げ物に表面に吸着するミクロ吸盤付きマグネットシート
６Ｃ．粘着剤付きマグネットシート
７．２対一体型ミクロ吸盤付きマグネットホルダー
８．被着体（壁）
９．ティッシュペーパー紙箱
１０．装飾物
１１．カレンダー
１２．造花
１３．ミクロ吸盤付き支持体
１４．ミクロ吸盤付き支持体マグネットシート１４Ａ、１４Ｂ
１５．非着磁面１５Ａ，１５Ｂ
１６．支持体
１７．粘着剤
【図１Ａ】
2008114008.tif 000006
【図１Ｂ】
2008114008.tif 000007
【図２Ａ】
2008114008.tif 000008
【図２Ｂ】
2008114008.tif 000009
【図２Ｃ】
2008114008.tif 000010
【図３Ａ】
2008114008.tif 000011
【図３Ｂ】
2008114008.tif 000012
【図３Ｃ】
2008114008.tif 000013
【図３Ｄ】
2008114008.tif 000014
【図４Ａ】
2008114008.tif 000015
【図４Ｂ】
2008114008.tif 000016
【図５】
2008114008.tif 000017
【図６】
2008114008.tif 000018